(57)【要約】【課題】ヘルメットに搭載したライトおよびウェアラブル端末をハンズフリーで操作できる多機能ヘルメットを提供する。【解決手段】多機能ヘルメットは、ヘルメット本体と、ヘルメット本体の前部に搭載されたライトと、カメラおよびディスプレーを有し、ヘルメット本体に搭載されたウェアラブル端末と、ヘルメット本体に搭載されたマイクと、ヘルメット本体に搭載され、マイクに入力された音声信号に基づきライトおよびウェアラブル端末を操作する制御部と、ヘルメット本体に内蔵されたスピーカーと、ヘルメット本体に搭載され、ライト、マイク、制御部、およびスピーカーに電力を供給するバッテリーと、を備えている。【選択図】図１
2018119241.tif 000002
【特許請求の範囲】
【請求項１】
ヘルメット本体と、
前記ヘルメット本体の前部に搭載されたライトと、
カメラおよびディスプレーを有し、前記ヘルメット本体に搭載されたウェアラブル端末と、
前記ヘルメット本体に搭載されたマイクと、
前記ヘルメット本体に搭載され、前記マイクに入力された音声信号に基づき前記ライトおよび前記ウェアラブル端末を操作する制御部と、
前記ヘルメット本体に内蔵されたスピーカーと、
前記ヘルメット本体に搭載され、前記ライト、前記マイク、前記制御部、および前記スピーカーに電力を供給するバッテリーと、
を備えた多機能ヘルメット。
【請求項２】
前記ディスプレーに、前記カメラの映像、前記ウェアラブル端末に保存されたデータ、および外部通信で取得したデータを表示可能である請求項１記載の多機能ヘルメット。
【請求項３】
前記カメラの映像を、外部に送信可能である請求項１または２に記載の多機能ヘルメット。
【請求項４】
前記マイクおよびスピーカーを用いて、外部と音声通信可能である請求項１〜３のいずれか１つに記載の多機能ヘルメット。
【請求項５】
前記ヘルメット本体は、アウターシェルとインナーシェルとを有し、
前記アウターシェルと前記インナーシェルとの間の空間に、前記バッテリー、前記ライト、前記マイク、前記制御部、および前記スピーカーを接続する配線が収容されている請求項１〜４のいずれか１つに記載の多機能ヘルメット。
【請求項６】
前記ウェアラブル端末は、前記空間の内外に出し入れ可能である請求項５記載の多機能ヘルメット。
【請求項７】
前記バッテリーは、前記ヘルメット本体の後部に搭載されている請求項１〜６のいずれか１つに記載の多機能ヘルメット。
【発明の詳細な説明】
【技術分野】
【０００１】
本発明の実施形態は、多機能ヘルメットに関する。
【背景技術】
【０００２】
ヘルメットの本来の機能は頭部の保護である。ヘルメットにヘッドライトを装着することで作業現場で必要な照明を得られる。そのような場合でも作業中に両手が塞がった状態でヘッドライトの点灯、消灯、図面を確認することができず、また、手元に図面がない場合は作業現場から事務所等に戻って図面をプリントアウトする必要があったため、作業効率の低下をまねいていた。
【先行技術文献】
【特許文献】
【０００３】
【特許文献１】実用新案登録第３１２１４９３号公報
【発明の概要】
【発明が解決しようとする課題】
【０００４】
ヘルメットに搭載したライトおよびウェアラブル端末をハンズフリーで操作できる多機能ヘルメットを提供する。
【課題を解決するための手段】
【０００５】
本発明の一態様によれば、ヘルメット本体と、前記ヘルメット本体の前部に搭載されたライトと、カメラおよびディスプレーを有し、前記ヘルメット本体に搭載されたウェアラブル端末と、前記ヘルメット本体に搭載されたマイクと、前記ヘルメット本体に搭載され、前記マイクに入力された音声信号に基づき前記ライトおよび前記ウェアラブル端末を操作する制御部と、前記ヘルメット本体に内蔵されたスピーカーと、前記ヘルメット本体に搭載され、前記ライト、前記マイク、前記制御部、および前記スピーカーに電力を供給するバッテリーと、を備えた多機能ヘルメットが提供される。
【発明の効果】
【０００６】
現場での作業効率を向上できる。
【図面の簡単な説明】
【０００７】
【図１】（ａ）は実施形態の多機能ヘルメットの模式斜視図であり、（ｂ）は実施形態の多機能ヘルメットの模式断面図。
【図２】（ａ）は実施形態の多機能ヘルメットに搭載されたヘッドフォンの内側を示す模式図であり、（ｂ）は実施形態の多機能ヘルメットに搭載されたウェアラブル端末の模式図。
【図３】実施形態の多機能ヘルメットと外部との通信システム図。
【発明を実施するための形態】
【０００８】
以下、図面を参照し、実施形態について説明する。なお、各図面中、同じ要素には同じ符号を付している。
【０００９】
図１（ａ）は実施形態の多機能ヘルメット１００の模式斜視図であり、図１（ｂ）はその多機能ヘルメット１００の模式断面図である。
【００１０】
多機能ヘルメット１００は、ヘルメット本体１と、ライト２と、ウェアラブル端末３と、マイク４と、ヘッドフォン５と、バッテリー６とを備えている。
【００１１】
ヘルメット本体１の前部（つばが設けられた側）にライト２が搭載され、ヘルメット本体１の後部にバッテリー６が搭載されている。ライト２は、作業者の前方や手元を照らすためにヘルメット本体１の前部に搭載されている。その反対側の後部にバッテリー６を搭載することで、ヘルメット全体の重心バランスをとれる。
【００１２】
ヘッドフォン５（または耳当て）は、ヘルメット本体１の左側または右側に搭載されている。ヘッドフォン５は、作業者がヘルメット１００を被ったときに、その作業者の左耳または右耳をカバーする位置に設けられている。ヘッドフォン５は、ヘルメット本体１の左右の両側に設けてもよい。
【００１３】
ヘッドフォン５にはマイク４が搭載されている。マイク４は、例えば折りたたんでヘッドフォン５の内側に収納することができる。例えば、ヘッドフォン５の内側の縁に沿ってマイク４を収納することができる。
【００１４】
図１（ａ）は、マイク４が収納位置から使用位置に引き出された状態を表す。その使用位置において、マイク４の集音部（先端部）は、ヘルメット１００を被った作業者の口近傍に位置する。尚、マイク４はヘルメット本体１を頭部に固定するための図示されていない顎紐に咽喉マイクとして組み込んでもよい。
【００１５】
図２（ａ）は、ヘッドフォン５の内側を示す模式図である。
【００１６】
ヘッドフォン５の内側にスピーカー１０が内蔵されている。また、ヘッドフォン５の内側に、例えば半導体ＩＣを含む制御部２１が搭載されている。
【００１７】
図１（ａ）に示すように、ヘッドフォン５の外側に、電源スイッチ７と、Bluetooth（登録商標）スイッチ８が設けられている。
【００１８】
図１（ａ）および（ｂ）に示すように、ヘルメット本体１の前部の下方に、ウェアラブル端末３が搭載されている。
【００１９】
図２（ｂ）は、ウェアラブル端末３の模式図である。
【００２０】
ウェアラブル端末３は、例えば眼鏡型の情報端末であり、カメラ１７（図２（ｂ）にはレンズを図示）、およびディスプレー１６を有する。フレーム１９には、切替スイッチ１８が設けられている。
【００２１】
図１（ｂ）に示すように、ヘルメット本体１は、アウターシェル２５とインナーシェル２４とを有する。それらアウターシェル２５とインナーシェル２４との間に、スペーサー２３によって保持された空間２２が形成されている。
【００２２】
その空間２２に配線９が収容されている。配線９は、バッテリー６、ライト２、マイク４、スピーカー１０、および制御部２１を接続している。バッテリー６は、配線９を介して、ライト２、マイク４、スピーカー１０、および制御部２１に電力を供給する。また、配線９を通じて、制御信号やデータ信号が各機器間を伝送する。
【００２３】
バッテリー６は、ヘルメット本体１から取り外して、充電器に接続して充電することができる。
【００２４】
また、ヘッドフォン５も、ヘルメット本体１に対して、コネクタ接続方式で着脱可能にしてもよい。この場合、作業者の好みなどに応じて、ヘッドフォン５をヘルメット本体１の左側か右側かを選んで取り付けることができる。
【００２５】
また、ウェアラブル端末３は、図２（ｂ）に示す可動部１５を使って、ヘルメット本体１の空間２２の内外に出し入れ可能である。収納位置（空間２２内）から引き出されたウェアラブル端末３は、図１（ｂ）に示すように、つばの下方に位置し、作業者の目の前方に位置する。作業者は、ディスプレー１６に表示されたカメラ映像やデータ画像を見ることができる。
【００２６】
なお、ディスプレー１６は、例えば有機ＥＬなどを使った透明パネルである。そのため、非表示状態のときはディスプレー１６越しに前方や手元を視認することができる。さらに、画像を表示させた状態でも、その画像越しに前方や手元を視認することができる。すなわち、表示画像と、前方や手元に実際に見える像とを重ね合わせて見ることも可能である。
【００２７】
また、配線９は、ヘルメット本体１において、不用意にどこかにぶつけやすい上面側（前頭部、天頂部、後頭部）よりは、図１（ａ）において破線で示すように、ヘルメット本体１の下側の縁近傍を這わせるようにすると、配線９を衝撃から保護しやすい。
【００２８】
制御部２１は、いわゆる音声認識機能を有し、マイク４に入力された音声信号に基づき、ライト２およびウェアラブル端末３を操作する。
【００２９】
ヘッドフォン５に付いている電源スイッチ７を押すと、マイク４、スピーカー１０、および制御部２１に電力が供給される。
【００３０】
そして、ヘルメット１００を装着した作業者が、例えば、「ライトオン」とマイク４に音声入力すればライト２が点灯し、「ライトオフ」とマイク４に音声入力すればライト２が消灯する。
【００３１】
また、ライト２は方向転回機能も有する。そして、作業者が、例えば、「ライトアップ」とマイク４に音声入力すればライト２が上方を向き、「ライトダウン」とマイク４に音声入力すればライト２が下方を向く。
【００３２】
次に、ウェアラブル端末３の音声入力操作例について説明する。
【００３３】
作業者が、例えば「撮影」とマイク４に音声入力すればカメラ１７が撮影を開始し、ディスプレー１６にカメラ１７が撮影した映像が映る。作業者が、例えば「ズーム」とマイク４に音声入力すればカメラ１７がズーム操作される。
【００３４】
作業者が、例えば「開く」とマイク４に音声入力すれば、ウェアラブル端末３に保存されていた図面がディスプレー１６に表示される。作業者が、例えば「閉じる」とマイク４に音声入力すればディスプレー１６上で開いていた図面が閉じる。図面データは、制御部２１、または別途ヘルメット本体１に内蔵された記憶媒体に保存されていてもよい。
【００３５】
ディスプレー１６へのカメラ映像と図面表示の切り替えは、図２（ｂ）に示す切替スイッチ１８の操作でも行うことができる。
【００３６】
また、実施形態のヘルメット１００は、外部と音声通信やデータ通信を行うことができる。
【００３７】
図３は、実施形態の多機能ヘルメット１００と、外部との通信システム図である。
【００３８】
作業者は、例えばスマートフォンなど、通信回線（外部ネットワーク）を通じて外部機器と通信可能な携帯通信端末１１を携帯する。あるいは、ウェアラブル端末３または制御部２１に、外部との通信機能を担わせてもよい。
【００３９】
ヘルメット側機器（ウェアラブル端末３、マイク４、スピーカー１０、制御部２１など）と、携帯通信端末１１との間は、例えばBluetooth（登録商標）などの無線で接続される。ヘッドフォン５に付いているBluetooth（登録商標）スイッチ８を押すことで、ヘルメット側機器と携帯通信端末１１との間がBluetooth（登録商標）接続される。
【００４０】
そして、マイク４、スピーカー１０、および携帯通信端末１１を介して、現場にいる作業者は、例えば店社や事務所などにいる者と音声通信することができる。
【００４１】
また、携帯通信端末１１を介した通信で、例えば店社側コンピュータ端末１４に保存された図面データを読み出し、ディスプレー１６に表示することができる。
【００４２】
さらに、カメラ１７で撮影した映像（静止画、動画）を、携帯通信端末１１を介して外部（例えば店社側コンピュータ端末１４）に送信することができる。
【００４３】
以上説明したように、実施形態の多機能ヘルメット１００を装着した作業者は、音声認識でライト２やウェアラブル端末３を操作でき、さらに作業現場にいながら外部通信することで現場情報の発信および必要な作業情報の入手が可能となる。作業者は、作業の流れを止めずに、ハンズフリーで上記操作や情報のやりとりをすることができ、作業効率を向上できる。
【００４４】
また、現場にマーキングされた例えば２次元コードをカメラ１７で読み取り、その読み取った情報を基に、例えば店社側コンピュータ端末１４からマーキングされた箇所の図面データを取得してディスプレー１６に表示することもできる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１…ヘルメット本体、２…ライト、３…ウェアラブル端末、４…マイク、５…ヘッドフォン、６…バッテリー、９…配線、１０…スピーカー、１６…ディスプレー、１７…カメラ、２１…制御部、２２…空間、２４…インナーシェル、２５…アウターシェル、１００…多機能ヘルメット
【図１】
2018119241.tif 000003
【図２】
2018119241.tif 000004
【図３】
2018119241.tif 000005